(57)【要約】【課題】ロール紙を容易にセットすることができる簡素な構成のプリンタを提供する。【解決手段】プリンタ一体型タクシーメータを構成するプリンタ２は、前面に開口部４が形成され、前面側に、開口部４から装填されたロール紙を収容するロール紙収容空間５が形成されたケース６と、ケース６のロール紙収容空間５よりも奥側に配された印字ヘッド２２と、ロール紙収容空間５と印字ヘッド２２との間に移動自在に配されたプラテンローラ７０と、プラテンローラ７０を印字ヘッド２２から離れたロール紙収容空間５寄りの離間位置と、離間位置よりも上方でかつ印字ヘッド２２と近接した近接位置とに亘って移動させる移動機構と、を有している。【選択図】図４
2008246727.tif 000002
【特許請求の範囲】
【請求項１】
前面に開口部が形成され、前記前面側に、前記開口部から装填されたロール紙を収容する収容空間が形成された箱状のケースと、
前記ケースの前記収容空間よりも奥側に配された印字ヘッドと、
前記収容空間と前記印字ヘッドとの間に移動自在に配され、前記印字ヘッドとの間に前記ロール紙の始端部分を挟むとともに軸心周りに回転することにより前記始端部分を移動させるプラテンローラと、
前記プラテンローラを前記印字ヘッドから離れた前記収容空間寄りの離間位置と、前記離間位置よりも上方でかつ前記印字ヘッドと近接した近接位置とに亘って移動させる移動機構と、
を有していることを特徴とするプリンタ。
【請求項２】
前記移動機構が、
一端部が前記ケースの上方に取り付けられかつ他端部に前記プラテンローラを回転自在に取り付け、前記一端部を中心に回動する支持部材と、
前記プラテンローラの軸心に引っ掛かることにより前記プラテンローラを前記近接位置に位置付けるとともに前記軸心から外れることにより前記プラテンローラをその自重により前記近接位置から前記離間位置に移動させる掛け爪を有し、該掛け爪が前記軸心に引っ掛かる維持位置と、該掛け爪が前記軸心から外れる離脱位置と、に亘って向きが変更自在に設けられた維持部材と、
前記維持部材を前記維持位置に位置付けられるように付勢する付勢手段と、
前記維持部材を前記前面から前記ケースの奥側に向かって押圧することにより、前記維持部材を前記離脱位置に位置付ける押圧部材と、
を有していることを特徴とする請求項１に記載のプリンタ。
【請求項３】
前記前面の面方向に沿ってスライド自在に設けられた前記ケースの開口部を開閉するカバーをさらに有していることを特徴とする請求項１または請求項２に記載のプリンタ。
【発明の詳細な説明】
【技術分野】
【０００１】
本発明は、例えば、タクシーメータとともに使用されるプリンタなど、印字ヘッドによりロール状の記録紙に画像記録を形成するためのプリンタに関するものである。
【背景技術】
【０００２】
図７は、タクシーメータとともに使用される従来のプリンタを示す断面図である。同図に示すプリンタ１０１は、乗員と相対する前面に開口部１２４が形成された箱状のケース１０２と、このケース１０２の開口部１２４を開閉するカバー１０３と、ケース１０２の奥側に配された印字ヘッド１３０と、この印字ヘッド１３０との間にロール紙１３２を挟み、軸心１３９を中心に回転することによりロール紙１３２を移動させるプラテンローラ１３５と、を有している。また、前記ロール紙１３２は、開口部１２４からケース１０２の前面側に装填される。また、図７中の１３３はロール紙１３２を巻き付けるコアであり、１０３ａはカバー１０３を貫通形成されたロール紙排出口である。
【０００３】
上記プリンタ１０１にロール紙１３２をセットするには、カバー１０３を開状態にし、ロール紙１３２の始端部分１３８を印字ヘッド１３０とプラテンローラ１３５との間に通し、ロール紙１３２のコア１３３をケース１０２に係合させてカバー１０３を閉じる。そして、図示しない紙送りボタンを押してプラテンローラ１３５を回転させることにより始端部分１３８をロール紙排出口１０３ａからケース１０２外に排出させる。こうしてプリンタ１０１にロール紙１３２をセットする。
【０００４】
また、上記プリンタ１０１は、乗務員等が図示しない印字ボタンを押圧することにより、印字ヘッド１３０がロール紙１３２に日付や料金等の画像記録を印字し、プラテンローラ１３５がロール紙１３２を送り出して、前記画像記録が印字された部分をロール紙排出口１０３ａからケース１０２外に排出する。
【０００５】
しかしながら、上記従来のプリンタ１０１は、印字ヘッド１３０及びプラテンローラ１３５がケース１０２の奥側に配されていることから、ロール紙１３２の始端部分１３８を印字ヘッド１３０とプラテンローラ１３５との間の狭い隙間に通す作業が困難であった。そこで、図８に示すように、ロール紙１３２の始端部分１３８を印字ヘッド１３０とプラテンローラ１３５との間に容易に通せるようにしたプリンタが考案されている（例えば特許文献１を参照。）。
【０００６】
図８は、タクシーメータとともに使用される従来の他のプリンタを示す断面図である。同図に示すプリンタ２０１は、乗員と相対する前面２０３に開口部２２４が形成された箱状のケース本体２０２と、開口部２２４を通されてこのケース本体２０２に出し入れ自在に形成された引き出し型ケース２２８と、引き出し型ケース２２８内に設けられたロール紙取り付け部２３１と、プラテンローラ２３５と、このプラテンローラ２３５を回転させる回転機構２３６と、ケース本体２０２に取り付けられ、引き出し型ケース２２８がケース本体２０２に収容された状態でプラテンローラ２３５と相対する印字ヘッド２３０と、を有している。また、引き出し型ケース２２８は、図８中上側に位置する上面が開口した箱状に形成されている。また、図８中の２３３はロール紙２３２を巻き付けるコアであり、２３７は、回転機構２３６を構成するモータであり、２３９はプラテンローラ２３５を構成する軸心であり、２２９は印字ヘッド２３０を構成する発熱体である。
【０００７】
上記プリンタ２０１にロール紙２３２をセットするには、ケース本体２０２から引き出し型ケース２２８を引き出し、引き出し型ケース２２８の上面側からロール紙取り付け部２３１にロール紙２３２を装填する。そして、ロール紙２３２の始端部分２３８を手前側（乗員室側）に引き出して、引き出し型ケース２２８をケース本体２０２の奥側に収容する。この状態で、ロール紙２３２の始端部分２３８は、開口部２２４の縁部と引き出し型ケース２２８との間に形成される隙間からケース本体２０２外に位置付けられている。こうしてプリンタ２０１にロール紙２３２をセットする。
【特許文献１】特開２００１−２２９４２２号公報
【発明の開示】
【発明が解決しようとする課題】
【０００８】
しかしながら上述したプリンタ２０１は、引き出し型ケース２２８やこの引き出し型ケース２２８を支持するレール（不図示）などを設ける分、部品点数が増加し、コスト高になるという問題があった。また、引き出し型ケース２２８がケース本体２０２から引き出された状態で上下からの衝撃が加わると破損しやすいという問題があった。
【０００９】
したがって、本発明は、ロール紙を容易にセットすることができる簡素な構成のプリンタを提供することを目的とする。
【課題を解決するための手段】
【００１０】
上記目的を達成するために、請求項１に記載された発明は、前面に開口部が形成され、前記前面側に、前記開口部から装填されたロール紙を収容する収容空間が形成された箱状のケースと、前記ケースの前記収容空間よりも奥側に配された印字ヘッドと、前記収容空間と前記印字ヘッドとの間に移動自在に配され、前記印字ヘッドとの間に前記ロール紙の始端部分を挟むとともに軸心周りに回転することにより前記始端部分を移動させるプラテンローラと、前記プラテンローラを前記印字ヘッドから離れた前記収容空間寄りの離間位置と、前記離間位置よりも上方でかつ前記印字ヘッドと近接した近接位置とに亘って移動させる移動機構と、を有していることを特徴とするプリンタである。
【００１１】
請求項２に記載された発明は、請求項１に記載された発明において、前記移動機構が、一端部が前記ケースの上方に取り付けられかつ他端部に前記プラテンローラを回転自在に取り付け、前記一端部を中心に回動する支持部材と、前記プラテンローラの軸心に引っ掛かることにより前記プラテンローラを前記近接位置に位置付けるとともに前記軸心から外れることにより前記プラテンローラをその自重により前記近接位置から前記離間位置に移動させる掛け爪を有し、該掛け爪が前記軸心に引っ掛かる維持位置と、該掛け爪が前記軸心から外れる離脱位置と、に亘って向きが変更自在に設けられた維持部材と、前記維持部材を前記維持位置に位置付けられるように付勢する付勢手段と、前記維持部材を前記前面から前記ケースの奥側に向かって押圧することにより、前記維持部材を前記離脱位置に位置付ける押圧部材と、を有していることを特徴とするものである。
【００１２】
請求項３に記載された発明は、請求項１または請求項２に記載された発明において、前記前面の面方向に沿ってスライド自在に設けられた前記ケースの開口部を開閉するカバーをさらに有していることを特徴とするものである。
【発明の効果】
【００１３】
請求項１に記載された発明によれば、前面に開口部が形成され、前記前面側に、前記開口部から装填されたロール紙を収容する収容空間が形成された箱状のケースと、前記ケースの前記収容空間よりも奥側に配された印字ヘッドと、前記収容空間と前記印字ヘッドとの間に移動自在に配され、前記印字ヘッドとの間に前記ロール紙の始端部分を挟むとともに軸心周りに回転することにより前記始端部分を移動させるプラテンローラと、前記プラテンローラを前記印字ヘッドから離れた前記収容空間寄りの離間位置と、前記離間位置よりも上方でかつ前記印字ヘッドと近接した近接位置とに亘って移動させる移動機構と、を有していることから、ロール紙をセットする際には、プラテンローラを離間位置に位置付けてプラテンローラと印字ヘッドとの間隔を広くすることにより、ロール紙の始端部分をケースの奥側に向かって挿入する操作のみで容易にロール紙をプラテンローラと印字ヘッドとの間に通すことができる。よって、ロール紙を容易にセットすることができる簡素な構成のプリンタを提供することができる。また、このプリンタの構成部品をケース外に引き出すことなくロール紙のセットを行うことができるので、破損し難いプリンタを提供することができる。
【００１４】
請求項２に記載された発明によれば、前記移動機構が、一端部が前記ケースの上方に取り付けられかつ他端部に前記プラテンローラを回転自在に取り付け、前記一端部を中心に回動する支持部材と、前記プラテンローラの軸心に引っ掛かることにより前記プラテンローラを前記近接位置に位置付けるとともに前記軸心から外れることにより前記プラテンローラをその自重により前記近接位置から前記離間位置に移動させる掛け爪を有し、該掛け爪が前記軸心に引っ掛かる維持位置と、該掛け爪が前記軸心から外れる離脱位置と、に亘って向きが変更自在に設けられた維持部材と、前記維持部材を前記維持位置に位置付けられるように付勢する付勢手段と、前記維持部材を前記前面から前記ケースの奥側に向かって押圧することにより、前記維持部材を前記離脱位置に位置付ける押圧部材と、を有していることから、押圧部材を押圧する操作のみでプラテンローラを離間位置に位置付けることができるとともに、押圧部材を押圧しながらプラテンローラをケース奥側の印字ヘッドに向かって押し付ける操作のみでプラテンローラを近接位置に位置付けることができる。このように移動機構が部品点数が少なく単純な構成であるので、組付性が良く低コストなプリンタを提供することができる。
【００１５】
請求項３に記載された発明によれば、前記前面の面方向に沿ってスライド自在に設けられた前記ケースの開口部を開閉するカバーをさらに有していることから、ケース内に埃などの異物が侵入することを防止できるとともに、ケースの前方にスペースが取れない箇所にも取り付け可能なプリンタを提供することができる。
【発明を実施するための最良の形態】
【００１６】
以下、本発明の一実施の形態にかかるプリンタを図１ないし図６を参照しながら説明する。
【００１７】
図１は、本発明の一実施の形態にかかるプリンタを有したプリンタ一体型タクシーメータを示す平面図である。図２は、図１に示されたプリンタ一体型タクシーメータのカバーをスライドさせた状態を示す平面図である。図３は、図１中のＡ―Ａ線に沿う断面図である。図４は、図２中のＢ―Ｂ線に沿う断面図である。図５は、図４に示されたプリンタの移動機構を示す斜視図である。図６は、図５に示された移動機構のプラテンローラが近接位置に位置付けられた状態を示す斜視図である。
【００１８】
本実施形態のプリンタ２は、タクシーのインストルメントパネルに取り付けられるプリンタ一体型タクシーメータ１を構成する。このプリンタ一体型タクシーメータ１は、図１に示すように、矩形状に形成されたケース６によりその外郭が形成されており、ケース６の左側に設けられたプリンタ２と、このプリンタ２に隣接してケース６の右側に設けられたメータ部９と、を有している。このメータ部９は、ケース６の前面３に配された運賃を表示する表示部９１、各操作ボタン９２，９３，９４、等を有している。
【００１９】
上記プリンタ２は、上記表示部９１に表示された運賃や日付等の画像記録をケース６内に装填されたロール紙８（図３を参照。）に印字するためのものである。なお、前記画像記録が印字されたロール紙８は、後述のカバー７に設けられた排出口７ａからケース６外に排出され、排出口７ａに設けられたカッター刃７ｂにより切り取られて領収書として使用される。
【００２０】
上記プリンタ２は、図３などに示すように、上記ケース６、上記カバー７、プリンタ本体２０、プラテンローラ７０、移動機構１５、などを有している。
【００２１】
上記ケース６は、上述したように矩形状に形成されており、このうち乗員室側から見た左半分がプリンタ２を構成している。このケース６の乗員と相対する前面３の右側には、上述したようにメータ部９の表示部９１等が配されており、左側には、図２などに示すようにロール紙８を着脱するための開口部４が形成されている。この開口部４は前面３を貫通形成されている。また、図２は、ロール紙８が装填されていない状態を示している。さらに、前面３の開口部４の左側には、後述の押圧部材１１の操作部が配されている。
【００２２】
また、本明細書において、「右」「左」「前」「奥」とは、乗員室側から見た方向を意味している。さらに、「上」「下」とは、鉛直方向の上側下側を意味している。
【００２３】
また、上記ケース６は、図４などに示すように、前面３側に形成されたロール紙収容空間５（特許請求の範囲に記載した収容空間に相当する。）と、このロール紙収容空間５よりも奥側に形成されたプリンタ本体収容空間１２と、を有している。また、ロール紙収容空間５とプリンタ本体収容空間１２とは連通している。
【００２４】
上記ロール紙収容空間５は、開口部４から装填されたロール紙８を収容するための空間であり、開口部４と連通している。また、ロール紙収容空間５を構成する左右方向に互いに相対する側壁（ケース６の一部をなす。）には、それぞれ、ロール紙８のコア８０（図３を参照。）を回転自在に支持するコア取り付け部１０が設けられている。また、ロール紙収容空間５の下側には、このロール紙収容空間５に装填されるロール紙８の外形に沿う形状に形成されたロール紙載置部５１が設けられている。このロール紙載置部５１とロール紙収容空間５を構成する底壁６２（ケース６の一部をなす。）との間には、ロール紙８をケース６外に排出するための隙間５２が形成されている。
【００２５】
上記プリンタ本体収容空間１２は、後述するプリンタ本体２０を配置するための空間であり、ケース６の上方から下方に向かうにしたがって前面３からケース６の奥側に向かって延びた空間である。即ちプリンタ本体収容空間１２は、鉛直方向に対して傾斜している。また、図示は省略するが、プリンタ本体収容空間１２は、プリンタ本体２０とメータ部９の機器とを接続する配線部材を通すため、底部がメータ部９側と連通している。
【００２６】
上記ロール紙８は、円筒状に形成されたコア８０に帯状の紙部８２が巻き付けられたものである。また、この紙部８２のコア８０から離れた側の端部を始端部分と呼び、符合８１を付す。また、紙部８２は、加熱された部分が発色する周知の感熱紙である。このロール紙８は、コア８０の長手方向がケースの左右方向と平行になる向きで開口部４から上記ロール紙収容空間５に装填され、コア８０の両端部が上記コア取り付け部１０に取り付けられることによりケース６に取り付けられる。また、始端部分８１は、プラテンローラ７０とプリンタ本体２０との間を通され、上記隙間５２を通され、カバー７の排出口７ａを通されてケース６の外部に排出される。そして、プラテンローラ７０が回転することによりコア８０がその軸を中心として回転し、紙部８２がプラテンローラ７０側に引き出されるとともに排出口７ａ側に送り出される。
【００２７】
上記カバー７は、開口部４を覆うことが可能な大きさの板状に形成されている。このカバー７は、図１及び図２に示すように、開口部４を覆う位置と、開口部４を乗員室側に露出させる位置、即ち上記表示部９１等を覆う位置、とに亘って前面３の面方向に沿ってスライド自在にケース６に取り付けられている。また、このカバー７は、開口部４を覆う位置に位置付けられた状態で上記隙間５２と相対する位置に設けられた上記排出口７ａと、この排出口７ａの縁部に設けられた紙部８２を切り取るためのカッター刃７ｂと、乗員室側の面に設けられた摘み部７ｃと、を有している。このカバー７は、開口部４を覆うことにより、ロール紙収容空間５内に埃等の異物が侵入することを防止するとともに、紙部８２が太陽光線等により変色することを防止する。
【００２８】
上記プリンタ本体２０は、ケース２３と、このケース２３に収容された印字ヘッド２２（図３を参照。）と、ケース２３に収容されたプラテンローラ７０を回転させるためのモータと、このモータに連結したギアと、このギアに噛み合って回転するとともにプラテンローラ７０の後述のギア７４に回転力を伝えるギア、等を有している。このプリンタ本体２０は、下部から上部に向かうにしたがってロール紙収容空間５に近づく方向に傾けられた状態で上記プリンタ本体収容空間１２に配されている。
【００２９】
上記印字ヘッド２２は、微小発熱体２１（図３、図５を参照。）を整列配置し、画像データに対応した通電により発熱体２１を過熱する周知のサーマル印字方式の印字ヘッド２２である。この発熱体２１は、プラテンローラ７０の後述のローラ部７３と相対する位置に帯状に配され、ケース２３から露出されている。また、この発熱体２１が上記ロール紙８の紙部８２に接触することにより上記画像記録が紙部８２に印字される。
【００３０】
上記プラテンローラ７０は、軸心７１と、この軸心７１の外周に設けられゴム等で形成された円筒状のローラ部７３と、軸心７１の一端部に取り付けられたギア７４と、軸心７１を後述の支持部材３０に回転自在に取り付ける軸受け７２と、を有している。また、ギア７４には、上述した複数のギアを介して上記プリンタ本体２０に設けられたモータの回転力が伝えられる。そして、このモータの回転力が伝えられることにより、軸心７１とローラ部７３とが回転する。
【００３１】
このようなプラテンローラ７０は、後述の移動機構１５により上記印字ヘッド２２の発熱体２１から離れた離間位置と、発熱体２１と近接した近接位置とに亘って移動自在に配されている。そして、前記近接位置においてローラ部７３と発熱体２１との間に上記ロール紙８の紙部８２を挟むことによりこの紙部８２に発熱体２１を接触させ、前記近接位置においてギア７４が上記複数のギアと噛み合ってローラ部７３が軸心７１回りに回転することにより紙部８２を上記隙間５２側に移動させる。
【００３２】
上記移動機構１５は、上記プラテンローラ７０を上記近接位置と上記離間位置とに亘って移動させるためのものであり、上記支持部材３０と、維持部材４０と、付勢部材としての巻きバネ２５と、上記押圧部材１１と、を有している。
【００３３】
上記支持部材３０は、図５及び図６などに示す支持軸３１（特許請求の範囲に記載した一端部に相当する。）と、この支持軸３１が通され、支持軸３１を中心に回動するスイング板３２と、上記プラテンローラ７０の軸受け７２を保持する保持部材３３（特許請求の範囲に記載した他端部に相当する。）と、この保持部材３３とスイング板３２とを連結した連結部材３４と、を有している。
【００３４】
上記支持軸３１は、円柱状に形成された棒であり、図３及び図４に示すように、ケース６の上面を構成する天井壁６１のロール紙収容空間５とプリンタ本体収容空間１２との中間部に形成された支持軸通し部６３に取り付けられている。この支持軸通し部６３は、ケース６の左右方向に沿って延びた穴を有している。支持軸３１はこの穴に通されることにより、ケース６の上方に取り付けられている。
【００３５】
上記スイング板３２は、上記支持軸３１が通される穴を有し、互いに間隔をあけて相対する位置に配された一対の板３２ａと、この一対の板３２ａの前記穴から離れた側の端部同士を連結した連結板３２ｂと、を有している。
【００３６】
上記保持部材３３は、上記プラテンローラ７０のローラ部７３の長手方向に沿って直線状に延びた直線部と、この直線部の両端それぞれから立設し、互いの間にローラ部７３を位置付ける一対の立設板と、を有したコ字型に形成されている。そして、この立設板に設けられた貫通穴に上記軸受け７２が通されて固定されている。また、上記連結部材３４は、ネジ等によりこの保持部材３３の直線部と上記スイング板３２の連結板３２ｂとを連結している。
【００３７】
このような構成の支持部材３０は、スイング板３２が支持軸３１を中心に回動することにより、上記プラテンローラ７０を上記近接位置と上記離間位置とに亘って移動させる。また、支持部材３０は、保持部材３３により、上記プラテンローラ７０を回転自在に保持する。
【００３８】
また、本発明において離間位置とは、上記プラテンローラ７０の移動範囲において、最も鉛直方向下方であり、最もロール紙収容空間５に近い位置を言う。また、本実施形態においては図４に示すプラテンローラ７０の位置が離間位置であり、プラテンローラ７０が上記支持軸通し部６３のほぼ真下に位置付けられた位置を言う。
【００３９】
また、本発明において近接位置とは、上記プラテンローラ７０の移動範囲において、最も鉛直方向上方であり、最も発熱体２１に近い位置を言う。また、最も発熱体２１に近い位置とは、ローラ部７３がロール紙８の紙部８２を発熱体２１に弾性的に押し付けることが可能な位置を言う。また、本発明においては、近接位置は、上記離間位置よりも鉛直方向上方である。
【００４０】
上記維持部材４０は、図４ないし図６に示すように、近接位置に位置付けられたプラテンローラ７０の軸受け７２が通されるスリット４４を有した一対の掛け爪４３Ａ，４３Ｂと、これら一対の掛け爪４３Ａ，４３Ｂ同士を連結した連結軸４１と、一方の掛け爪４３Ａに固定された被押圧板４２と、を有している。
【００４１】
上記一対の掛け爪４３Ａ，４３Ｂは、上記プリンタ本体２０のケース２３内を通された上記連結軸４１のケース２３の外部に露出した両端部にそれぞれ取り付けられている。このため、一対の掛け爪４３Ａ，４３Ｂは、一方の掛け爪４３Ａの移動動作に連動して他方の掛け爪４３Ｂが移動する。また、一対の掛け爪４３Ａ，４３Ｂは、連結軸４１を中心として、上記軸受け７２に引っ掛かる、即ちスリット４４内に軸受け７２が位置付けられる、維持位置と、軸受け７２から外れる、即ちプラテンローラ７０の自重により軸受け７２がスリット４４から外れる、離脱位置と、に亘ってケース２３に対して回動自在に設けられている。
【００４２】
上記被押圧板４２は、板状に形成されており、後述する押圧部材１１と接触することが可能な位置に配されている。また、被押圧板４２は、上述したように、一方の掛け爪４３Ａに固定されていることから、連結軸４１を中心として回動自在に設けられている。また、被押圧板４２の移動動作に連動して上記一対の掛け爪４３Ａ，４３Ｂが移動する。そして、この被押圧板４２が、図４に示すように、押圧部材１１に押圧されてケース６の奥行き方向Ｆに沿って前面３側からケース６の奥側に移動されることにより、上記一対の掛け爪４３Ａ，４３Ｂが、上述した離脱位置に位置付けられる。また、一対の掛け爪４３Ａ，４３Ｂが離脱位置に位置付けられることにより、プラテンローラ７０は、軸受け７２が一対の掛け爪４３Ａ，４３Ｂから外れて、その自重により上記近接位置から上記離間位置に移動する。
【００４３】
上記付勢部材としての巻きバネ２５は、伸縮方向に沿った一端部が上記他方の掛け爪４３Ｂに取り付けられ、かつ、他端部が上記ケース２３に取り付けられており、この掛け爪４３Ｂが上記維持位置に位置付けられるように該掛け爪４３Ｂを付勢している。また、一方の掛け爪４３Ａは他方の掛け爪４３Ｂの移動動作に連動して移動するので、他方の掛け爪４３Ｂが巻きバネ２５に付勢されることで、一方の掛け爪４３Ａもこの巻きバネ２５に付勢されることになる。また、この巻きバネ２５は、一方の掛け爪４３Ａ側に取り付けても良く、一方の掛け爪４３Ａ側と他方の掛け爪４３Ｂ側との双方に取り付けても良い。また、この巻きバネ２５の付勢力よりも大きな力で上記被押圧板４２が押圧部材１１に押圧されることにより、一対の掛け爪４３Ａ，４３Ｂが上記離脱位置に位置付けられる。
【００４４】
上記押圧部材１１は、角柱状に形成されており、ケース６の奥行き方向Ｆに沿って移動自在にケース６に保持されている。また、押圧部材１１は、上述したように、前面３側に配された操作部、即ち一端部、がケース６の奥行き方向Ｆに沿って前面３から奥側に向かって押圧されることにより、上記被押圧板４２と相対した他端部がこの被押圧板４２をケース６の奥側に向かって移動させる。
【００４５】
上記構成のプリンタ一体型タクシーメータ１のプリンタ２にロール紙８をセットするには、カバー７を開き、押圧部材１１の操作部を押圧することにより一対の掛け爪４３Ａ，４３Ｂを離脱位置に位置付けかつプラテンローラ７０を離間位置に位置付けてプラテンローラ７０とプリンタ本体２０との間隔を広く空け、ロール紙８の始端部分８１をケース６の奥側即ちプリンタ本体収容空間１２側に向かって挿入する。
【００４６】
すると、ケース６の奥側に向かって挿入された始端部分８１は、スイング板３２の一対の板３２ａ間を通され、下部から上部に向かうにしたがってロール紙収容空間５に近づく方向に傾けられて配されたプリンタ本体２０に当接することによりケース６の下方に向きを変え、プリンタ本体２０とプラテンローラ７０との間を通される。
【００４７】
そして、さらにロール紙８の紙部８２をケース６の奥側に向かって挿入することにより、始端部分８１は底壁６２に当接して前面３側に向きを変え、隙間５２を通される。
【００４８】
ここで、押圧部材１１の操作部を押圧しながら軸受け７２が一対の掛け爪４３Ａ，４３Ｂのスリット４４内に通されるまでプラテンローラ７０をプリンタ本体２０側に向かって（図４中の矢印Ｇに示す方向）押し上げて、押圧部材１１の操作部を離す。すると、巻きバネ２５の付勢力（弾性力）により一対の掛け爪４３Ａ，４３Ｂが維持位置に位置付けられて、プラテンローラ７０が近接位置に位置付けられる。
【００４９】
そして、ロール紙８のコア８０を上述したようにコア取り付け部１０に取り付け、カバー７を閉じる。そして、紙送りを行う操作ボタン９２を押してプラテンローラ７０を回転させることにより、始端部分８１を排出口７ａからケース６外に排出させるとともに紙部８２のたるみを吸収する。こうしてプリンタ２にロール紙８をセットする。また、図４などに示す二点鎖線Ｅは、上述した紙部８２の移動軌跡を表している。
【００５０】
また、上記プリンタ一体型タクシーメータ１は、乗務員等が領収書発行を行う操作ボタン９３を押圧することにより、印字ヘッド２２がロール紙８の紙部８２に日付や料金等の画像記録を印字し、プラテンローラ７０が紙部８２を送り出して、前記画像記録が印字された部分を排出口７ａからケース６外に排出する。
【００５１】
本実施形態によれば、ロール紙８をセットする際には、プラテンローラ７０を離間位置に位置付けてプラテンローラ７０とプリンタ本体２０との間隔を広くすることにより、ロール紙８の始端部分８１をケース６の奥側に向かって挿入する操作のみで容易にロール紙８をプラテンローラ７０とプリンタ本体２０との間に通すことができる。よって、ロール紙８を容易にセットすることができる簡素な構成のプリンタ２を有したプリンタ一体型タクシーメータ１を提供することができる。また、このプリンタ２の構成部品をケース６外に引き出すことなくロール紙８のセットを行うことができるので、プリンタ２が破損しにくい。
【００５２】
また、押圧部材１１を押圧する操作のみでプラテンローラ７０を離間位置に位置付けることができるとともに、押圧部材１１を押圧しながらプラテンローラ７０をケース６の奥側の印字ヘッド２２に向かって押し付ける操作のみでプラテンローラ７０を近接位置に位置付けることができる。このように移動機構１５が部品点数が少なく単純な構成であるので、組付性が良く低コストなプリンタ２を有したプリンタ一体型タクシーメータ１を提供することができる。
【００５３】
また、前面３の面方向に沿ってスライド自在に設けられたケース６の開口部４を開閉するカバー７を有していることから、ケース６内に埃などの異物が侵入することを防止できるとともに、ケース６の前方にスペースが取れない狭い箇所にも取り付け可能なプリンタ一体型タクシーメータ１を提供することができる。
【００５４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５５】
【図１】本発明の一実施の形態にかかるプリンタを有したプリンタ一体型タクシーメータを示す平面図である。
【図２】図１に示されたプリンタ一体型タクシーメータのカバーをスライドさせた状態を示す平面図である。
【図３】図１中のＡ―Ａ線に沿う断面図である。
【図４】図２中のＢ―Ｂ線に沿う断面図である。
【図５】図４に示されたプリンタの移動機構を示す斜視図である。
【図６】図５に示された移動機構のプラテンローラが近接位置に位置付けられた状態を示す斜視図である。
【図７】従来のプリンタを示す断面図である。
【図８】従来の他のプリンタを示す断面図である。
【符号の説明】
【００５６】
１  プリンタ一体型タクシーメータ
２  プリンタ
３  前面
４  開口部
５  ロール紙収容空間（収容空間）
６  ケース
７  カバー
８  ロール紙
１１  押圧部材
１５  移動機構
２２  印字ヘッド
２５  巻きバネ（付勢手段）
３０  支持部材
４０  維持部材
４３Ａ，４３Ｂ  掛け爪
７０  プラテンローラ
７１  軸心
８１  始端部分
【図１】
2008246727.tif 000003
【図２】
2008246727.tif 000004
【図３】
2008246727.tif 000005
【図４】
2008246727.tif 000006
【図５】
2008246727.tif 000007
【図６】
2008246727.tif 000008
【図７】
2008246727.tif 000009
【図８】
2008246727.tif 000010